(57)【特許請求の範囲】
【請求項１】
横長の本体ケース内に計量機器を設け、本体ケース上の一端部に先端に給油ノズルを取り付けた給油ホースを設け、本体ケース上の他端部に給油量表示器を設けた給油装置において、
前記給油量表示器は、給油装置の側面を向き給油される自動車の運転席Ｘから見易い第一の位置Ａと、給油量表示器が給油装置の斜め後方を向き給油口が給油装置の反対側に有る自動車へ給油をしている給油者に見易い第二の位置Ｂと、給油量表示器が給油装置のほぼ真後ろを向き給油口が給油装置側に有る自動車へ給油をしている給油者に見易い第三の位置Ｃとの間を水平回動自在に設けられ、
前記給油ノズルの位置を検知する検知器と、前記給油量表示器を回動する回動機構と、検知器の信号を受けて回動機構を駆動する回動制御装置と、アテンダント給油及びセルフ給油の設定手段とが設けられ、アテンダント給油が設定されると給油量表示器は第一の位置Ａに固定され、セルフ給油が設定されると給油量表示器は第二の位置Ｂと第三の位置Ｃとの間を回動することを特徴とした給油装置。
【請求項２】
前記給油ノズルの位置を検知する検知器は、給油ホースの中間部をワイヤを介して引き上げ付勢するリトラクタのワイヤが一定以上引き出されたときに検知信号を出力し、前記回動制御装置は検知器からの検知信号の入力と、給油が開始されたときに入力する給油開始信号とを受けて、前記給油量表示器を第二の位置へ回動する信号を前記回動機構へ出力し、検知器からの検知信号の非入力と、給油が開始されたときに入力する給油開始信号とを受けて、前記給油量表示器を第三の位置へ回動する信号を前記回動機構へ出力する請求項１記載の給油装置。
【発明の詳細な説明】
【０００１】
【発明の属する技術分野】
本発明は、自動車へ燃料油を給油する給油装置で、特に給油所の作業員が給油をするアテンダント給油と、顧客自身が給油をするセルフ給油を好適に兼用できる給油装置に関するものである。
【０００２】
【従来の技術】
横長の本体ケース内に計量機器を設け、本体ケースの一方に先端に給油ノズルを取り付けた給油ホースを設け、本体ケースの他方に給油量表示器を固定して設けた給油装置は、特開平８ー７２９９５号として知られている。この給油装置の給油量表示器は給油ノズルから離れたところに設けられ、給油装置の側面を向いているので、自動車の運転席にいる顧客に給油量表示器が見易く、アテンダント給油に好適である。しかしこれから普及しようとしているセルフ給油では、給油をしている顧客にとって給油量表示器が見えにくい不都合がある。
【０００３】
【発明が解決しようとする課題】
そこで本発明は、アテンダント給油及びセルフ給油のどちらの場合でも、顧客に見易い給油量表示器を有する給油装置を提供することである。
【０００４】
【課題を解決するための手段】
前記目的を達成するため、請求項1記載の本発明は、横長の本体ケース内に計量機器を設け、本体ケース上の一端部に先端に給油ノズルを取り付けた給油ホースを設け、本体ケース上の他端部に給油量表示器を設けた給油装置において、前記給油量表示器は、給油装置の側面を向き給油される自動車の運転席Ｘから見易い第一の位置Ａと、給油量表示器が給油装置の斜め後方を向き給油口が給油装置の反対側に有る自動車へ給油をしている給油者に見易い第二の位置Ｂと、給油量表示器が給油装置のほぼ真後ろを向き給油口が給油装置側に有る自動車へ給油をしている給油者に見易い第三の位置Ｃとの間を水平回動自在に設けられ、前記給油ノズルの位置を検知する検知器と、前記給油量表示器を回動する回動機構と、検知器の信号を受けて回動機構を駆動する回動制御装置と、アテンダント給油及びセルフ給油の設定手段とが設けられ、アテンダント給油が設定されると給油量表示器は第一の位置Ａに固定され、セルフ給油が設定されると給油量表示器は第二の位置Ｂと第三の位置Ｃとの間を回動することを要旨とするものである。
【０００５】
請求項１記載の本発明によれば、横長の本体ケース内に計量機器を設け、本体ケース上の一端部に先端に給油ノズルを取り付けた給油ホースを設け、本体ケース上の他端部に給油量表示器を設けた給油装置において、前記給油量表示器は、給油装置の側面を向いた第一の位置と、給油装置の斜め後方を向いた第二の位置と、ほぼ真後ろを向いた第三の位置との間を水平回動自在に設けられているので、アテンダント給油の場合は給油量表示器を第一の位置にし、セルフ給油の場合は給油量表示器を第一の位置又は第三の位置にし、常に顧客に見易い給油量表示器を有する給油装置となる。
【０００６】
そして、前記給油ノズルの位置を検知する検知器と、前記給油量表示器を回動する回動機構と、検知器の信号を受けて回動機構を駆動する回動制御装置と、アテンダント給油及びセルフ給油の設定手段とが設けられ、アテンダント給油が設定されると給油量表示器は第一の位置に固定され、セルフ給油が設定されると給油量表示器は第二の位置と第三の位置との間を回動するので、セルフ給油の場合は、給油をしている顧客に見易い位置に給油量表示器が自動的に向く。
【０００７】
請求項２記載の本発明は、前記給油ノズルの位置を検知する検知器は、給油ホースの中間部をワイヤを介して引き上げ付勢するリトラクタのワイヤが一定以上引き出されたときに検知信号を出力し、前記回動制御装置は検知器からの検知信号の入力と、給油が開始されたときに入力する給油開始信号とを受けて、前記給油量表示器を第二の位置へ回動する信号を前記回動機構へ出力し、検知器からの検知信号の非入力と、給油が開始されたときに入力する給油開始信号とを受けて、前記給油量表示器を第三の位置へ回動する信号を前記回動機構へ出力することを要旨とするものである。
【０００８】
請求項２記載の本発明によれば、給油量表示器は給油が開始したときの給油ノズルの位置で回動し、給油を開始するまでのホース捌きに影響されることがなく、給油量表示器が何度も回動することがない。
【０００９】
【発明の実施の形態】
以下、本発明の実施の形態を説明する。図１、２に示すように、自動車に燃料油を給油する給油所の敷地に設けられたアイランド１上には、レギュラガソリンとハイオクガソリンと軽油の３油種の給油系統が組み込まれた給油装置２が設けられている。この給油装置２は計量機器を収納した本体ケース１０と、本体ケース１０の一端部に設けられ、給油ホースを収納したホース支持ケース２０と、本体ケース１０の他端部に設けられた給油量表示器３０とより構成されている。
【００１０】
本体ケース１０内には、図示しない各油種の貯油タンクからの給油管１１が導入され、各給油管１１にはポンプ１２及び流量計１３が介装され、給油管１１は本体ケース１０上のホース支持ケース２０に導出されている。
【００１１】
ホース支持ケース２０に導出された給油管１１の先端には給油ホース２１が接続され、給油ホース２１の先端に取り付けられた給油ノズル２２は、本体ケース１０に設けられたノズル掛け１４に掛けられるようになっている。このノズル掛け１４には、給油ノズル２２の掛け外しを検知するノズルスイッチ１５が設けられている。図３に示すように、給油ホース２１の中間部は、ホース支持ケース２０の上端に設けられたリトラクタ２３から引き出されたワイヤ２４に接続され、Ｕ字状に吊り上げられている。そして、リトラクタ２３のワイヤ２４の引き出し量より給油ノズル２２の位置を検知する検知器２５が設けられている。
【００１２】
図４、５に示すように、給油量表示器３０は、本体ケース１０上に植設された支持軸３１に回動自在に支持されている。給油量表示器３０のケース３２内には表示計３３、給油制御装置３４及び回動制御装置３５が設けられ、ケース３２には各種のデータを設定するキーボード３６が設けられている。そして、給油量表示器３０のケース３２内に設けられたモータ３７の軸には歯車３８が取り付けられ、この歯車３８は本体ケース１０上に設けられたラック３９に噛み合い、給油量表示器３０の位置を検知する位置検知器４０Ａ、４０Ｂ、４０Ｃが設けられている。図２に示すように、給油量表示器３０が給油装置２の側面を向き給油される自動車の運転席Ｘから見易い第一の位置Ａと、給油量表示器３０が給油装置２の斜め後方を向き給油口が給油装置２の反対側に有る自動車へ給油をしている給油者Ｙに見易い第二の位置Ｂと、給油量表示器３０が給油装置２のほぼ真後ろを向き給油口が給油装置２側に有る自動車へ給油をしている給油者Ｚに見易い第三の位置Ｃとの間を回動するようになっている。
【００１３】
図６のブロック図に示すように、上述した各機器は給油制御装置３４及び回動制御装置３５に接続されている。
【００１４】
給油制御装置３４はノズルスイッチ１５からのノズル外し信号を受けて、表示計３３に表示されていた前回の給油量表示を帰零し、ポンプ１２を駆動し、流量計１３から流量信号が入力したときに給油開始信号を回動制御装置３５に伝え、給油中は流量計１３からの流量信号を計数して表示計３３へ表示し、ノズルスイッチ１５からのノズル掛け信号を受けて、ポンプ１２を停止する。
【００１５】
回動制御装置３５はキーボード３６からアテンダント給油の設定信号を受けて、給油量表示器３０が第一の位置Ａとなるようにモータ３７を回動し、キーボード３６からセルフ給油の設定信号を受けて、給油量表示器３０が第二の位置Ｂとなるようにモータ３７回動し、給油制御装置３４から給油開始信号が入力したときにワイヤ２４の引き出し量より給油ノズル２２の位置を検知する検知器２５から検知信号が入力していると、給油量表示器３０を第二の位置Ｂとなるようにモータ３７を回動し、給油開始信号が入力したときに検知器２５から検知信号が入力していない場合は、給油量表示器３０を第三の位置Ｃとなるようにモータ３７を回動する。
【００１６】
次に、図７、８のフロー図に基づいて給油装置の動作を説明する。給油所の作業員が給油をするアテンダント給油の場合は、キーボード３６でアテンダント給油を設定し（図７  ＳＴ１）、位置検知器４０Ａから第一の位置Ａの検知信号が入力していないと（図７  ＳＴ２）、モータ３７を正転し（図７  ＳＴ３）、給油量表示器３０を回動する。そして、位置検知器４０Ａから第一の位置Ａの検知信号が入力すると（図７  ＳＴ４）、モータ３７を停止する（図７  ＳＴ５）。このようにアテンダント給油の場合は、自動車の運転席Ｘにいる顧客が見易いように、給油量表示器３０は第一の位置Ａに向けられている。
【００１７】
給油する自動車がきて、作業員が給油ノズル２２をノズル掛け１４から外し、ノズルスイッチ１５からノズル外し信号が給油制御装置３４に入力すると、表示計３３に表示されていた前回の給油量表示を帰零し、ポンプ１２を駆動する。そして、流量計１３から流量信号が入力したときに給油開始信号を回動制御装置３５に伝え、給油中は流量計１３からの流量信号を計数して表示計３３へ表示する。このとき、給油量表示器３０は自動車の運転席Ｘ側を向いているので、運転席Ｘに座っている顧客は容易に給油量を知ることができる。所望量を給油して給油ノズル２２をノズル掛け１４に掛け、ノズルスイッチ１５からノズル掛け信号が給油制御装置３４に入力すると、ポンプ１２を停止して給油作業が終わる。
【００１８】
顧客が給油をするセルフ給油の場合は、キーボード３６でセルフ給油を設定し（図７  ＳＴ６）、位置センサ４０Ａから第一の位置Ａの検知信号が入力していると（図７  ＳＴ７）、モータ３７を逆転し（図７  ＳＴ８）、給油量表示器３０が回動する。そして、位置センサ４０Ｂから第二の位置Ｂの検知信号が入力すると（図７  ＳＴ９）、モータ３７を停止する（図７  ＳＴ１０）。
【００１９】
給油するために自動車から降りた顧客が、給油ノズル２２をノズル掛け１４から外し、ノズルスイッチ１５からノズル外し信号が給油制御装置３４に入力すると、表示計３３に表示されていた前回の給油量表示を帰零し、ポンプ１２を駆動し、流量計１３から流量信号が入力したときに給油開始信号を回動制御装置３５へ伝える。給油開始信号を受けた回動制御装置３５は（図８  ＳＴ１）、現在はセルフ給油が設定されているので（図８  ＳＴ２）、リトラクタ２３のワイヤ２４の引き出し量より給油ノズル２２の位置を検知する検知器２５から検知信号が入力している場合は（図８  ＳＴ３）、給油量表示器３０を第二の位置Ｂへ向けることになる。給油量表示器３０が第三の位置Ｃであり位置検知器４０Ｃから検知信号が入力している場合は（図８  ＳＴ４）、モータ３７を正転し（図８  ＳＴ５）、位置検知器４０Ｂから第二の位置Ｂの検知信号が入力すると（図８  ＳＴ６）、モータ３７を停止する（図８  ＳＴ７）。また、回動制御装置３５に給油開始信号が入力したときに（図８  ＳＴ１、ＳＴ２）、検知器２５から検知信号が入力していない場合は（図８  ＳＴ３）、給油量表示器３０を第三の位置Ｃへ向けることになる。給油量表示器３０が第二の位置Ｂであり位置検知器４０Ｂから検知信号が入力している場合は（図８  ＳＴ８）、モータ３７を逆転し（図８  ＳＴ９）、位置検知器４０Ｃから第三の位置Ｃの検知信号が入力すると（図８  ＳＴ１０）、モータ３７を停止する（図８  ＳＴ１１）。
【００２０】
このように、自動車の給油口が給油装置２側にあり、給油ホース２１を殆ど引かずに給油し、リトラクタ２３のワイヤ２４の引き出し量より給油ノズル２２の位置を検知する検知器２５から検知信号が入力していない場合は、給油量表示器３０は第三の位置Ｃへ向けられるので、給油装置２側で給油をしている顧客にとって給油量が見易くなる。また、自動車の給油口が給油装置２と反対側にあり、給油ホース２１を引いて給油し、検知器２５から検知信号が入力している場合は、給油量表示器３０は第二の位置Ｂへ向けられるので、給油装置２の反対側で給油をしている顧客にとって給油量が見易くなる。
【００２１】
給油中に給油制御装置３４で計数された給油量は表示計３３へ表示される。そして、所望量を給油して給油ノズル２２をノズル掛け１４に掛け、ノズルスイッチ１５からノズル掛け信号が給油制御装置３４に入力すると、ポンプ１２が停止して給油作業が終わる。
【００２２】
【発明の効果】
以上説明したように本発明は、横長の本体ケース内に計量機器を設け、本体ケース上の一端部に先端に給油ノズルを取り付けた給油ホースを設け、本体ケース上の他端部に給油量表示器を設けた給油装置において、前記給油量表示器は、給油装置２の側面を向いた第一の位置と、給油装置の斜め後方を向いた第二の位置と、ほぼ真後ろを向いた第三の位置との間を水平回動自在に設けられているので、アテンダント給油の場合は給油量表示器を第一の位置にし、セルフ給油の場合は給油量表示器を第一の位置又は第三の位置にし、常に顧客に見易い給油量表示器を有する給油装置となる。
【図面の簡単な説明】
【図１】  本発明の給油装置の斜視図である。
【図２】  本発明の給油装置の平面図である。
【図３】  ホース支持ケースの上部の一部断面図である。
【図４】  給油量表示器の一部を断面で示す正面図である。
【図５】  給油量表示器を断面で示す平面図である。
【図６】  給油装置のブロック図である
【図７】  回動制御装置のフロー図である。
【図８】  回動制御装置のフロー図である
【符号の説明】
１  アイランド
２  給油装置
１０  本体ケース
１１  給油管
１２  ポンプ
１３  流量計
１４  ノズル掛け
１５  ノズルスイッチ
２０  ホース支持ケース
２１  給油ホース
２２  給油ノズル
２３  リトラクタ
２４  ワイヤ
２５  検知器
３０  給油量表示器
３１  支持軸
３２  ケース
３３  表示計
３４  給油制御装置
３５  回動制御装置
３６  キーボード
３７  モータ
３８  歯車
３９  ラック
４０Ａ、４０ｂ、４０Ｃ  位置検知器
【図１】
0003718956.tif 000002
【図２】
0003718956.tif 000003
【図３】
0003718956.tif 000004
【図４】
0003718956.tif 000005
【図５】
0003718956.tif 000006
【図６】
0003718956.tif 000007
【図７】
0003718956.tif 000008
【図８】
0003718956.tif 000009